(57)【特許請求の範囲】
【請求項１】
垂直偏向電流波形により表示可能範囲信号を作成する表示可能範囲信号作成手段と、前記表示可能範囲信号の表示可能範囲中の水平同期信号をカウントし表示走査線数を検出する表示走査線数検出手段と、オンスクリーン表示信号を出力するオンスクリーン表示手段と、前記表示走査線数から前記オンスクリーン表示手段の垂直文字サイズを制御する文字サイズ制御手段とを備えたことを特徴とする映像機器のオンスクリーン装置。
【請求項２】
垂直偏向電流波形により表示可能範囲信号を作成する表示可能範囲信号作成手段と、前記表示可能範囲信号の表示可能範囲中の水平同期信号をカウントし表示走査線数を検出する表示走査線数検出手段と、オンスクリーン表示信号を出力するオンスクリーン表示手段と、垂直同期信号から前記表示可能範囲信号が表示可能になるまでの期間の水平同期信号をカウントし表示開始走査線を検出する表示開始走査線検出手段と、前記表示走査線数と前記表示開始走査線から、前記オンスクリーン表示手段の垂直表示位置を制御する表示位置制御手段とを備えたことを特徴とする映像機器のオンスクリーン装置。
【発明の詳細な説明】
【０００１】
【発明の属する技術分野】
本発明は映像機器のオンスクリーン装置に関するものである。
【０００２】
【従来の技術】
映像機器たとえばマルチスキャンディスプレイで使用されるオンスクリーン装置では、様々なタイミングの水平、垂直同期信号の映像信号を表示するために、特開平６−３１９０７７号公報に示される様なオンスクリーン装置が用いられている。
この場合、オンスクリーン表示の垂直文字サイズ、垂直表示位置は、水平、垂直同期信号から求めた映像信号の総走査線数によって設定している。
【０００３】
【発明が解決しようとする課題】
しかしながら、映像信号の総走査線数が同じで、かつ有効映像走査線数の異なる映像信号の場合には、一般的にＣＲＴ管面の表示可能領域全体に映像が表示されるように垂直振幅を調整するため、それぞれの映像信号を表示したときに実際にＣＲＴ管面に表示されている走査線数が違ってくる。
しかし、従来は総走査線で垂直文字サイズを制御しているのでＣＲＴ管面に表示されている走査線数にあわせた垂直文字サイズを選択することができなかった。
【０００４】
また、ユーザーが垂直振幅、及び垂直位置を調整して最大限変化させた場合においても、オンスクリーン表示がＣＲＴ管面の表示可能領域の外へはみ出してしまう事が無いよう画面中央付近、あるいは偏向調整で変化するだけの余裕を持たせた範囲内収まるよう垂直文字サイズ、垂直位置を設定しオンスクリーン表示をおこなっていた。
しかし、このような方法ではオンスクリーン表示を画面上端及び下端に表示したり、画面全体に大きな文字サイズで多行に渡る表示を行うことができないという課題を有していた。。
【０００５】
本発明は、垂直振幅及び垂直位置を変化させた場合においても、実際に表示されている走査線にあわせた垂直文字サイズを選択し、ＣＲＴ管面の表示可能領域の外へはみ出さない様に垂直位置の制御手段を備えた、オンスクリーン装置を提供するものである。
【０００６】
【課題を解決するための手段】
この課題を解決するため本発明は、垂直偏向電流波形によりＣＲＴ管面の表示可能領域を示す表示可能範囲信号作成手段と、前記表示可能範囲信号の表示可能範囲中の水平同期信号をカウントしＣＲＴ管面の表示可能領域に表示されている表示走査線数を検出する手段と、垂直同期信号から前記表示可能範囲信号が表示可能になるまでの期間の水平同期信号をカウントしＣＲＴ管面の表示可能領域の表示開始走査線を検出する手段と、オンスクリーン表示信号を出力するオンスクリーン表示手段を備え、前記表示走査線数と前記表示開始走査線から、前記オンスクリーン表示手段の垂直文字サイズ及び垂直表示位置を制御する構成とした。
【０００８】
【発明の実施の形態】
本発明の請求項１に記載のオンスクリーン装置は、垂直偏向電流波形よりＣＲＴ管面の表示可能域を示す表示可能範囲信号を作成する手段と、前記表示可能範囲信号の表示可能範囲中の水平同期信号をカウントしＣＲＴ管面の表示可能領域に表示されている表示走査線数を検出する手段と、オンスクリーン表示信号を出力するオンスクリーン表示手段と、前記表示走査線数から前記オンスクリーン表示手段の垂直文字サイズを制御する手段を備えたものであり、表示している映像の垂直振幅を変化させた場合においても、ＣＲＴ管面の表示可能領域の表示走査線数を検出して、表示走査線数にあわせてオンスクリーン表示の垂直文字サイズを制御するものである。
【００１０】
本発明の請求項２に記載のオンスクリーン装置は、請求項１記載の表示可能範囲信号作成手段と表示走査線数検出手段とオンスクリーン表示手段に加え、垂直同期信号から前記表示可能範囲信号が表示可能になるまでの期間の水平同期信号をカウントしＣＲＴ管面の表示可能領域の表示開始走査線を検出する手段と、前記表示走査線数と前記表示開始走査線から、前記オンスクリーン表示手段の垂直表示位置を制御する手段を備えたものであり、表示している映像の垂直振幅及び垂直位置を変化させた場合においても、ＣＲＴ管面の表示可能領域の表示走査線数及び表示開始走査線を検出して、オンスクリーン表示の垂直表示位置の制御することでオンスクリーン表示がＣＲＴ管面の表示可能領域の外へはみ出さない様にするものである。
【００１１】
（実施の形態）
以下、本発明の一実施の形態における映像機器のオンスクリーン装置ついて図面を参照しながら説明する。図１は本発明の一実施の形態におけるオンスクリーン装置のブロック構成図、図２はＣＲＴ管面の表示可能範囲と垂直偏向電流波形との関係図、図３は垂直偏向電流と表示可能範囲信号との関係図、図４は総走査線数が同じで有効映像走査線数の異なる映像信号でのオンスクリーン表示の図、図５は偏向調整で画面の垂直位置を調整した時のオンスクリーン表示文字サイズの制御例の図、図６は偏向調整で画面の垂直振幅を調整した時のオンスクリーン表示位置の制御例の図を示す。
【００１２】
図１において、符号１１は表示可能範囲信号作成回路で垂直偏向電流波形により表示可能範囲信号を作成する。
図２に表示範囲と垂直偏向電流波形の関係を示しており、ＣＲＴの表示可能範囲２１に対し２２は走査線で、２３はその垂直偏向電流波形であり、ＣＲＴに表示されている範囲は垂直偏向電流波形のうち画面上端位置２４から画面下端位置２５までのの期間であることがわかる。
本実施例では表示可能範囲信号作成方法として、図３に示すように垂直偏向電流波形３１と画面下端位置電圧及び、画面上端位置電圧をそれぞれコンパレータで比較した信号３３及び、３４を排他的論理和をとり、さらに垂直同期信号３２と論理積を取ることで帰線期間中の表示可能信号を無効にして表示可能範囲信号３５を得ている。
なお、本実施例では、前記の様に垂直偏向電流波形をコンパレータで比較し論理演算を行い表示可能範囲信号を得る構成を取っているが、垂直偏向電流波形より表示可能範囲信号が得られれば良いのであって、どの様な構成であっても良いことは言うまでもない。
【００１３】
また、図１において、符号１２はマイクロコンピュータで表示可能範囲信号と垂直同期信号と水平同期信号が入力され、表示可能範囲信号の表示可能範囲中の水平同期信号をカウントしＣＲＴ管面の表示可能領域に表示されている表示走査線数を検出してオンスクリーン表示回路１３の垂直文字サイズを表示可能な大きさになるように制御する。
図４に総走査線数が同じで、かつ有効映像走査線数の異なる映像信号の時に、オンスクリーン表示を１０行表示する例を示す。なお、本実施例のオンスクリーン表示回路の垂直文字サイズは次の４種類（１８，３６，５４，７２ライン）から選択する。
図４（ａ）は総走査線数が５２５本で有効映像走査線数が４８０本の信号である。この時、垂直文字サイズは３６ラインになる。
図４（ｂ）は総走査線数が５２５本で有効映像走査線数が３５０本の信号であるが、この時垂直文字サイズは３６ラインでは表示ができないので１８ラインを選択することになる。
ただし、（ｂ）の場合でも垂直振幅を縮めていった時には、表示走査線数が増えて垂直文字サイズを３６ラインで表示可能になったら垂直文字サイズは３６ラインが選択される。
【００１４】
さらに、マイクロコンピュータ１２は前記表示走査線数に加え、垂直同期信号から表示可能範囲信号が表示可能になるまでの期間の水平同期信号をカウントしＣＲＴ管面の表示可能領域の表示開始走査線を検出してオンスクリーン表示回路１３の垂直表示位置の制御をおこなう。
図５に偏向調整で画面の垂直位置を調整した時のオンスクリーン表示文字サイズの制御例を示す。図５（ａ）の状態から偏向調整で画面の垂直位置を調整し、図５（ｂ）、（ｃ）は本発明のオンスクリーンの垂直位置制御を行っていない場合で、図５（ｄ）、（ｅ）は本発明のオンスクリーンの垂直位置制御を行っている場合である。図５（ｂ）、（ｃ）ではオンスクリーン表示も同時に移動していきＣＲＴ管面の表示可能領域の外へはみ出してしまうが、図５（ｄ）では画面位置を上方向に移動させても表示開始走査線を検出し、オンスクリーンの垂直表示位置が制御されるためオンスクリーン表示がＣＲＴ管面の表示可能領域の外へはみ出すことはない。
また、図５（ｅ）の様に画面位置を下方向に移動させた時も表示開始走査線と表示走査線数から画面下端の最終表示走査線を求めオンスクリーンの垂直位置が制御されるためオンスクリーン表示がＣＲＴ管面の表示可能領域の外へはみ出すことはない。
また、図６に偏向調整で画面の垂直振幅を調整した時のオンスクリーン表示位置の制御例を示す。図６（ａ）の状態から偏向調整で画面の垂直振幅を調整し、図６（ｂ）は本発明のオンスクリーンの垂直位置制御を行っていない場合で、図６（ｃ）は本発明のオンスクリーンの垂直位置制御を行っている場合である。
図６（ｂ）ではオンスクリーン表示も同時に移動していきＣＲＴ管面の表示可能領域の外へはみ出してしまうが、図６（ｃ）では垂直振幅を変化させても表示開始走査線と表示走査線数から画面上端及び下端の走査線を求めオンスクリーンの垂直表示位置が制御されるためオンスクリーン表示がＣＲＴ管面の表示可能領域の外へはみ出すことはない。
【００１５】
【発明の効果】
以上のように、本発明のオンスクリーン装置によれば、垂直振幅及び垂直位置を変化させた場合においても、オンスクリーン表示がＣＲＴ管面の表示可能領域の外へはみ出さない様に垂直文字サイズ及び、垂直表示位置の制御ができる。
【図面の簡単な説明】
【図１】本発明の一実施の形態におけるオンスクリーン装置のブロック構成図
【図２】ＣＲＴ管面の表示可能範囲と垂直偏向電流波形との関係図
【図３】垂直偏向電流と表示可能範囲信号との関係図
【図４】総走査線数が同じで有効映像走査線数の異なる映像信号でのオンスクリーン表示の図
【図５】偏向調整で画面の垂直位置を調整した時のオンスクリーン表示文字サイズの制御例の図
【図６】偏向調整で画面の垂直振幅を調整した時のオンスクリーン表示位置の制御例の図
【符号の説明】
１１  表示可能範囲信号作成回路
１２  マイクロコンピュータ
１３  オンスクリーン表示回路
２１  ＣＲＴ管面の表示可能範囲
２２  走査線
２３  垂直偏向電流波形
２４  画面上端位置
２５  画面下端位置
３１  垂直偏向電流波形
３２  垂直同期信号
３３  走査線が画面下端以下にあることを示す信号
３４  走査線が画面上端以下にあることを示す信号
３５  表示可能範囲信号
【図１】
0003601263.tif 000002
【図２】
0003601263.tif 000003
【図３】
0003601263.tif 000004
【図４】
0003601263.tif 000005
【図５】
0003601263.tif 000006
【図６】
0003601263.tif 000007